(57)【要約】【課題】  葬儀情報などの慶弔情報のうち、所望の情報をタイムリーに入手できる方法およびシステムを提供する。【解決手段】  慶弔の対象者、慶弔日時および場所を含む慶弔情報を、新規慶弔情報として入力すると（ステップ３２）、その新規慶弔情報を、ユーザ毎に設定されたキーワードにより検索し、検索された新規慶弔情報を電子メールによりユーザ毎のあて先に発信する（ステップ３３）。さらに、慶弔情報が修正慶弔情報に変更されると、その修正慶弔情報を、ユーザ毎に設定されたキーワードにより検索し、検索された修正慶弔情報を電子メールによりユーザ毎のあて先に発信し（ステップ３７）、修正対象慶弔情報を、ユーザ毎に設定されたキーワードにより検索し、検索されたユーザのあて先に、修正対象慶弔情報が修正された旨の電子メールを発信する（ステップ３８）。【選択図】        図３
2005092652.tif 000002
【特許請求の範囲】
【請求項１】
慶弔の対象者、慶弔日時および場所を含む慶弔情報を、新規慶弔情報として入力する工程と、
前記新規慶弔情報を、ユーザ毎に設定されたキーワードにより検索し、検索された前記新規慶弔情報を電子メールにより前記ユーザ毎のあて先に発信する工程とを有する慶弔情報の提供方法。
【請求項２】
請求項１において、発信済みの前記新規慶弔情報の内の修正対象慶弔情報が、その情報の少なくとも一部が修正された修正慶弔情報に変更されると、前記修正慶弔情報を、ユーザ毎に設定されたキーワードにより検索し、検索された前記修正慶弔情報を電子メールにより前記ユーザ毎のあて先に発信すると共に、前記修正対象慶弔情報を、ユーザ毎に設定されたキーワードにより検索し、検索された前記修正対象慶弔情報が発信された前記ユーザ毎のあて先に、前記修正対象慶弔情報が修正された旨の電子メールを発信する工程とを有する慶弔情報の提供方法。
【請求項３】
請求項１において、入力済みの前記慶弔情報であって、前記慶弔日時に達していない旧慶弔情報に前記新規慶弔情報をマージし、キーワード検索可能な慶弔情報データベースを生成する工程とを有する慶弔情報の提供方法。
【請求項４】
請求項３において、前記慶弔情報データベースに登録済みの前記慶弔情報の内、修正対象慶弔情報を、情報の少なくとも一部が修正された修正慶弔情報に変更する工程と、
前記修正慶弔情報を、ユーザ毎に設定されたキーワードにより検索し、検索された前記修正慶弔情報を電子メールにより前記ユーザ毎のあて先に発信する工程と、
前記修正対象慶弔情報を、ユーザ毎に設定されたキーワードにより検索し、検索された前記修正対象慶弔情報が発信された前記ユーザ毎のあて先に、前記修正対象慶弔情報が修正された旨の電子メールを発信する工程とを有する慶弔情報の提供方法。
【請求項５】
請求項３において、ユーザを認証する工程と、
認証されたユーザのキーワードを追加、変更および／または削除する工程と、
前記認証されたユーザのキーワードが追加または変更されると、その追加または変更されたキーワードにより前記慶弔情報データベースを検索し、検索された慶弔情報を出力する工程とを有する慶弔情報の提供方法。
【請求項６】
慶弔の対象者、慶弔日時および場所を含む慶弔情報を、新規慶弔情報として取得する手段と、
前記新規慶弔情報を、ユーザ毎に設定されたキーワードにより検索し、検索された前記新規慶弔情報を電子メールにより前記ユーザ毎のあて先に発信するメール送信手段と、
入力済みの前記慶弔情報であって、前記慶弔日時に達していない旧慶弔情報に前記新規慶弔情報がマージされ、キーワード検索可能な状態に置かれた慶弔情報データベースとを有する慶弔情報提供システム。
【請求項７】
請求項６において、情報の少なくとも一部が修正された修正慶弔情報を取得し、前記慶弔情報データベースに登録済みの前記慶弔情報の内、修正対象慶弔情報を置き換える手段を有し、
前記メール送信手段は、前記修正慶弔情報を、ユーザ毎に設定されたキーワードにより検索し、検索された前記修正慶弔情報を電子メールにより前記ユーザ毎のあて先に発信し、さらに、前記修正対象慶弔情報を、ユーザ毎に設定されたキーワードにより検索し、検索された前記修正対象慶弔情報が発信された前記ユーザ毎のあて先に、前記修正対象慶弔情報が修正された旨の電子メールを発信する、慶弔情報提供システム。
【請求項８】
請求項６において、ユーザに対し認証情報の入力を求める手段と、
認証されたユーザのキーワードを追加、変更および／または削除を可能とする手段と、
前記認証されたユーザのキーワードが追加または変更されると、その追加または変更されたキーワードにより前記慶弔情報データベースを検索し、検索された慶弔情報を出力する手段とを有する慶弔情報提供システム。
【請求項９】
慶弔の対象者、慶弔日時および場所を含む慶弔情報を、新規慶弔情報として取得する処理と、
前記新規慶弔情報を、ユーザ毎に設定されたキーワードにより検索し、検索された前記新規慶弔情報を電子メールにより前記ユーザ毎のあて先に発信する処理と、
入力済みの前記慶弔情報であって、前記慶弔日時に達していない旧慶弔情報に前記新規慶弔情報がマージし、キーワード検索可能な慶弔情報データベースを生成する処理とをコンピュータにおいて実行可能とする命令を有するプログラム。
【請求項１０】
請求項９において、情報の少なくとも一部が修正された修正慶弔情報を取得し、前記慶弔情報データベースに登録済みの前記慶弔情報の内、修正対象慶弔情報を置き換える処理と、
前記修正慶弔情報を、ユーザ毎に設定されたキーワードにより検索し、検索された前記修正慶弔情報を電子メールにより前記ユーザ毎のあて先に発信する処理と、
前記修正対象慶弔情報を、ユーザ毎に設定されたキーワードにより検索し、検索された前記修正対象慶弔情報が発信された前記ユーザ毎のあて先に、前記修正対象慶弔情報が修正された旨の電子メールを発信する処理とをコンピュータにおいて実行可能とする命令をさらに有するプログラム。
【請求項１１】
請求項９において、ユーザに対し認証情報の入力を求める処理と、
認証されたユーザのキーワードを追加、変更および／または削除を可能とする処理と、
前記認証されたユーザのキーワードが追加または変更されると、その追加または変更されたキーワードにより前記慶弔情報データベースを検索し、検索された慶弔情報を出力する処理とをコンピュータにおいて実行可能とする命令をさらに有するプログラム。
【発明の詳細な説明】
【技術分野】
【０００１】
本発明は、結婚式などの慶事、通夜、葬式などの弔事の情報を提供する方法およびシステムに関するものである。
【背景技術】
【０００２】
慶事および／または弔事の情報を提供するシステムがいくつか提案されている。特開２００３−１５０６８８号公報には、配送先を一度登録しておけば一斉に慶弔情報を配信できる慶弔情報配信方法が記載されている。また、特開２００３−１７８１４６号公報には、携帯電話の情報配信網を利用して、慶事または弔事に関して、その場所や日時などの情報をユーザが必要に応じて取得できる慶弔情報提供システムが記載されている。
【特許文献１】特開２００３−１５０６８８号公報
【特許文献２】特開２００３−１７８１４６号公報
【発明の開示】
【発明が解決しようとする課題】
【０００３】
これらのシステムは、慶弔の対象者、日時および場所を知るためには便利である。しかしながら、慶弔の発生をタイムリーに知ることができない。特開２００３−１５０６８８号公報に記載された慶弔情報配信方法では、会員が慶弔情報の配信先を登録することにより、その登録された配信先に慶弔情報が配信されるだけであり、配信先に登録されていなければ、その慶弔情報を知ることができない。
【０００４】
慶弔を怠らないということは良い人間関係を保つ上で、重要な要素の１つであり、そのためには慶弔の事実の発生をタイムリーに取得することが重要である。慶事、例えば、婚礼のような祝い事であれば、招待状により事前に知ることができ、また、事前に照会しても多くのケースでは失礼に当たらず、さらに、たとえ婚礼の後にその情報を知ったとしてお祝いを述べることは比較的たやすい。しかしながら、葬儀のような弔事であると、招待状を受け取ることもなければ、事前に連絡を頼むことも難しく、また、タイミングを逸すると義理を欠くことに繋がる。
【０００５】
弔事の情報は、さらに、近所や町内会、知人、業界関係者という限られたネットワークで流通することが主であり、そのネットワークから漏れた人間に情報が伝達されない。新聞記事などのメディアを介して弔事の情報を取得することも可能であるが、常に新聞に掲載された全ての弔事の情報をチェックすることは多大な時間と手間を費やし、さらに、誤って読み飛ばしてしまう可能性もある。
【０００６】
そこで、本発明においては、慶弔情報を発信する側ではなく、慶弔情報を受信する側がタイムリーに無理なく、所望の慶弔情報を受け取ることができる慶弔情報の提供方法および提供システムを提供することを目的としている。
【課題を解決するための手段】
【０００７】
このため、本発明の慶弔情報の提供方法においては、集められた慶弔情報をユーザ毎に設定されたキーワードで検索し、検索された慶弔情報を予め登録されたユーザ毎のあて先（メールアドレス）へ電子メールにより発信する。その際、慶弔情報、特に、弔事の情報は発生から弔事までの時間が短く、慶弔情報を遅滞無くユーザに提供しなくてはならない。したがって、本発明においては、慶弔の対象者、慶弔日時および場所を含む慶弔情報を、新規慶弔情報として入力する工程と、新規慶弔情報を、ユーザ毎に設定されたキーワードにより検索し、検索された新規慶弔情報を電子メールによりユーザ毎のあて先に発信する工程とを有する慶弔情報の提供方法を提供する。新規慶弔情報をキーワード検索して電子メールで配信することにより、ユーザに対し、ユーザがキーワード登録した所望の慶弔情報に限り、遅滞無く、タイムリーに知らせることができる。さらに、キーワード検索して配信する慶弔情報を新規慶弔情報に限定することにより、２重３重に同じ慶弔情報がユーザに伝達されることを未然に防止することが可能となり、ユーザが大量の慶弔情報により混乱することもない。
【０００８】
さらに、発信済みの新規慶弔情報の内の修正対象慶弔情報を、その情報の少なくとも一部が修正された修正慶弔情報に変更するときは、修正慶弔情報を、ユーザ毎に設定されたキーワードにより検索し、検索された修正慶弔情報を電子メールでユーザ毎のあて先に発信し、それと共に、修正対象慶弔情報を、ユーザ毎に設定されたキーワードにより検索し、検索された修正対象慶弔情報が発信されたユーザ毎のあて先に、修正対象慶弔情報が修正された旨の電子メールを発信することが望ましい。これにより、慶弔情報が修正された場合は、修正された慶弔情報に係るユーザに対しても、遅滞無く慶弔情報を伝達することができる。同時に、修正対象の慶弔情報、すなわち、誤った慶弔情報が伝達されたユーザに対しても遅滞無く、誤った慶弔情報が伝達されたことを知らせることができるので、誤った慶弔情報によりユーザが行動して事態を混乱させたり、不利益を被ることを未然に防止できる。
【０００９】
また、入力済みの慶弔情報であって、慶弔日時に達していない旧慶弔情報に新規慶弔情報をマージし、キーワード検索可能な慶弔情報データベースを生成する工程を設けることにより、ユーザはいつでも有効な慶弔情報から所望の情報を検索することが可能となる。したがって、本発明の慶弔情報提供システムは、慶弔情報を、新規慶弔情報として取得する手段と、新規慶弔情報を、ユーザ毎に設定されたキーワードにより検索し、検索された新規慶弔情報を電子メールによりユーザ毎のあて先に発信するメール送信手段と、入力済みの慶弔情報であって、慶弔日時に達していない旧慶弔情報に新規慶弔情報がマージされ、キーワード検索可能な状態に置かれた慶弔情報データベースとを有する。また、本発明においては、慶弔情報を、新規慶弔情報として取得する処理と、新規慶弔情報を、ユーザ毎に設定されたキーワードにより検索し、検索された新規慶弔情報を電子メールによりユーザ毎のあて先に発信する処理と、入力済みの慶弔情報であって、慶弔日時に達していない旧慶弔情報に新規慶弔情報をマージし、キーワード検索可能な慶弔情報データベースを生成する処理とをコンピュータにおいて実行可能とする命令を有するプログラムを提供することが可能であり、インターネットなどのコンピュータネットワークに接続されたサーバなどのコンピュータにインストールすることにより慶弔情報提供システムを構築できる。
【００１０】
慶弔情報提供システムにおいて、情報の少なくとも一部が修正された修正慶弔情報を取得し、慶弔情報データベースに登録済みの慶弔情報の内、修正対象慶弔情報を置き換える手段を備えている場合は、メール送信手段により、修正慶弔情報を、ユーザ毎に設定されたキーワードにより検索し、検索された修正慶弔情報を電子メールによりユーザ毎のあて先に発信し、さらに、修正対象慶弔情報を、ユーザ毎に設定されたキーワードにより検索し、検索された修正対象慶弔情報が発信されたユーザ毎のあて先に、修正対象慶弔情報が修正された旨の電子メールを発信することが望ましい。上述したように、修正された慶弔情報を適切なユーザに送信することができると共に、誤った慶弔情報によりユーザが不利益を受けることを未然に防止できる。
【００１１】
さらに、慶弔情報提供システムに、ユーザに対し認証情報の入力を求める手段と、認証されたユーザのキーワードを追加、変更および／または削除を可能とする手段と、認証されたユーザのキーワードが追加または変更されると、その追加または変更されたキーワードにより慶弔情報データベースを検索し、検索された慶弔情報を出力する手段とを設けることが望ましい。ユーザに対し認証情報の入力を求めることにより、ユーザを認証し、認証されたユーザのキーワードを追加、変更および／または削除を可能とすることにより、ユーザが所望の慶弔情報を受け取るように設定を自ら変更できる。そして、認証されたユーザのキーワードが追加または変更されると、その追加または変更されたキーワードにより慶弔情報データベースを検索し、検索された慶弔情報を出力することにより、新たに設定されたキーワードにより、ユーザが所望する慶弔情報をユーザは取得することができる。
【００１２】
慶弔情報提供システムをインターネット上にオープンすることにより、ユーザはインターネットを経由してアクセスすることができる。ユーザはＷＷＷブラウザを介して慶弔情報提供システムを構成する認証サーバにアクセスすることができ、認証サーバがユーザ登録情報にしたがってユーザを認証すると、キーワードの追加、変更、削除がホームページ上で可能になる。キーワードの追加または変更に伴い提供される慶弔情報は、ホームページ上に出力されても良く、電子メールにより各ユーザの登録されたアドレスに送信されても良い。
【００１３】
本発明において、慶弔情報を提供する手段は、電子メールではなく、電話あるいはファックスであってもシステムは構築可能である。電話も留守番電話機能があれば蓄積交換型の情報通信媒体となるので、電子メールに変わる情報発信手段となりうる。しかしながら、手軽に外出先や勤務先など、装置の設置場所にかぎらず、情報を受信でき、さらに、その情報を蓄積しておくことができると共に、目で見て、場所や日時を誤解なく確認できるという点では、電子メールが最も適した情報伝達手段であると言える。電子メールは、インターネットを介して固定した端末に提供されるものに限らず、公衆電話網やその他のデータ通信網を介して携帯電話などの移動型の端末に供給される画像あるいはテキスト型のデータを全て含むものである。
【発明の効果】
【００１４】
本発明の慶弔情報の提供方法および提供システムにおいては、慶弔情報を受信した側のユーザが受信したい慶弔情報をキーワードで指定し、それに該当する最も新しい慶弔情報を電子メールにより自動配信させることができる。したがって、ユーザは、所望の慶弔情報をタイムリーに取得することができる。このため、情報が発生してから葬儀の日時までの余裕のない弔事の情報であっても、ユーザは弔事の発生元に負担をかけることなく、また、弔事の発生元に照会するまでもなく、遅滞無く弔事の日時および場所などの必要な情報を取得でき、義理を欠くことも無く弔事に参加することができる。
【発明を実施するための最良の形態】
【００１５】
図１に、本発明に係る慶弔情報提供システムの概要を示してある。このシステムは、葬儀情報を慶弔情報として提供するシステムであり、本願の出願人が「おくやみネット」として開発中のものである。慶弔情報提供システム（情報提供システム）１においては、葬儀場２、火葬場、新聞社などから葬儀情報３が提供されると、それを各家庭などに照会して確認し、葬儀情報をシステムに入力する。慶弔情報を入手したいユーザである企業４あるいは個人５は、インターネット９を介して予め慶弔情報提供システム１にアクセスし、予めユーザ登録すると共に、慶弔情報を入手したい人物、地域などをキーワードで登録する。慶弔情報提供システム１は、キーワード指定された慶弔情報が入力されると、その慶弔情報を各ユーザに対して電子メール６で配信する。
【００１６】
図２に、慶弔情報提供システム１の構成を示してある。慶弔情報提供システム１は、インターネット９に対してシステム１を接続するためにファイアフォールなどの機能を提供するゲートウェイサーバ１１と、ユーザがブラウザを介してシステム１にアクセスするためのＷＷＷサーバ１２と、ユーザの登録情報を管理するユーザ管理サーバ１３と、ユーザの登録情報を記憶したユーザデータベース１４と、メールを送受信するメールサーバ１５と、ユーザデータベース１４に登録されたキーワードにより種々のデータベースを検索する検索サーバ１６と、種々のデータベースを管理するデータベース管理サーバ１７と、データを入力する端末１８と、慶弔情報が記憶された慶弔情報ＤＢ１９とを備えている。また、この慶弔情報提供システム１は、トランザクションファイルとして、入力端末１８で追加された新規の慶弔情報が記録された新規情報ファイル２１と、修正された慶弔情報が記録された修正情報ファイル２２と、慶弔情報ＤＢ１９に登録済みで修正の対象になったオリジナルの慶弔情報が記録された修正対象情報ファイル２３とを使用する。
【００１７】
図３に、慶弔情報提供システム１による処理の概要を示してある。これに基づき、慶弔情報提供システム１をさらに詳しく説明する。まず、ステップ３１で新規な情報があると、ステップ３２で入力端末１８より新規データを入力し、新規情報ファイル２１を生成する。葬儀情報の場合、新規な情報は、葬儀場２、火葬場、新聞社から主に取得することができる。したがって、入力端末１８を、これらの情報入手先に設置したり、インターネット９にオープンして、情報入手先からデータを入力できるようにすることも可能である。また、ユーザが関連する葬儀情報をインターネット９から入力できるようにしておくことも可能である。入力端末１８に対し複数の情報入手先がアクセスできるようなシステムであれば、同一の情報が別々に入力されるケースがありうるので、葬儀情報の主な項目、例えば、名前、葬儀場、葬儀の日時を比較して重複した登録が避けられるようにすることが望ましい。また、慶弔情報のうち、特に弔事の情報は誤って配信されると、ユーザが不利益を被るケースも多いので、入力時点あるいは情報を配信する前のタイミングで、家人に問い合わせるなど、慶弔情報を確認するステップを設けておくことが望ましい。
【００１８】
図４に、葬儀情報５０の一例を示してある。葬儀情報（故人情報テーブル）５０は、慶弔の対象者（この例では故人）、慶弔の日時（この例では告別式の日時）、慶弔の場所（この例では葬儀場）などのデータを含んでおり、郵便番号、業種、葬儀場のように予め詳細な内容が判明している情報は、郵便番号テーブル５１、業種テーブル５２および葬儀場テーブル５３を用意しておくことが可能である。
【００１９】
新規な情報を含む新規情報ファイル２１は、図３のステップ３３において、ユーザ管理サーバ１３に登録されたキーワードにより検索サーバ１６で検索される。ユーザがセットしたキーワードを含む新規な情報が検索された場合は、検索サーバ１６の指示により、その新規な情報がメールサーバ１５において電子メール化され、ユーザ管理サーバ１３に登録されたユーザのメールアドレス宛に発信される。
【００２０】
このステップ３３において検索対象となる情報は、図４に示した葬儀情報５０であって、新たに入力されたものである。また、ユーザ管理ＤＢ１４には、ユーザ毎に、図５（ａ）に示すように、フリーワード３個の論理積（ＡＮＤ）が１００件登録できる領域が用意されている。したがって、各ユーザは、１種類の情報の検索条件として適当なキーワードを３個まで指定することができ、もちろん、１個でもかまわない。そして、１００個の検索条件まで、事前に登録することができる。さらに、オプションとして追加費用を支払うことにより、さらに多くの検索条件を登録することも可能である。
【００２１】
また、図５（ｂ）に示すように、業種と地域といったカテゴリーに絞って、検索条件を設定することも可能となっている。各ユーザがセットした検索条件により何件の新規な慶弔情報が検索されるかは不明ではある。しかしながら、本例の慶弔情報提供システム１であれば、少なくともユーザの検索条件によりスクリーニングされた慶弔情報を、その慶弔情報が新たに登録される都度、提供できる。したがって、ユーザが所望する慶弔情報が提供される可能性は非常に高く、無駄な情報が含まれるとしてもその量は通常のメディアから単に配信される情報に比較すれば格段に少ない。このため、ユーザは、所望の慶弔情報をタイムリーに取得することができ、慶弔の機会を逃すことを未然に防止できる。
【００２２】
さらに、ステップ３４において、ＤＢ管理サーバ１７が、検索処理が終了した新規情報データベース２１を過去に入力された慶弔情報を含む慶弔情報ＤＢ１９とマージして、慶弔情報ＤＢ１９を更新する。この際、慶弔日時が経過した情報は削除する。また、ユーザのキーワードで検索が終了し、慶弔情報ＤＢ１９の更新に利用された新規情報のトランザクションファイル２１は、その時点で消去され、ステップ３２で新たな新規情報が入力されると新たなトランザクションファイル２１が生成される。バックアップのために、過去の新規情報を含むトランザクションファイルを履歴として残しておくことも好ましい方法ではある。しかしながら、検索するファイルを明確に識別しないと、ユーザに対して同じ情報が繰り返し配信されることになるので、注意が必要である。また、ステップ３４の処理は、ステップ３３の処理と前後して、あるいは同時に行うことが可能である。
【００２３】
慶弔情報ＤＢ１９が随時アップデートされることにより、慶弔情報ＤＢ１９には、慶弔日時に達していない、現時点で有効な慶弔情報のみが格納される。このため、ユーザがＷＷＷサーバ１２を介して検索サーバ１６にアクセスし、慶弔情報ＤＢ１９を用いて独自で検索することにより、検索時点で有効な慶弔情報を取得できる。慶弔情報を含んだ電子メールを誤って削除したとき、一時的に異なる検索条件で慶弔情報を検索したいときなどに有効である。
【００２４】
ステップ３５において、入力した慶弔情報に修正が発生すると、ステップ３６において入力端末１８から修正情報を入力する。これにより、修正された慶弔情報を格納した修正情報ファイル２２と、修正の対象になったオリジナルの慶弔情報を格納した修正対象情報ファイル２３とを生成する。そして、ステップ３７で、修正情報ファイル２２を検索サーバ１６で、各ユーザのキーワードを用いて検索し、検索された情報を、メールサーバ１５を介して、対象となるユーザ宛に電子メールにより送信する。この処理により、修正された慶弔情報を所望するユーザに対して遅滞無く慶弔情報を提供することができる。
【００２５】
さらに、ステップ３８で、修正対象となったオリジナルのデータが含まれている修正対象情報ファイル２３を検索サーバ１６で、各ユーザのキーワードを用いて検索する。この処理により、修正前の情報がメールで配信されたユーザが判明するので、メールサーバ１５を介し、対象となるユーザ宛に、情報が修正されたことを電子メールにより送信する。修正前の慶弔情報、すなわち、誤った慶弔情報の提供を受けたユーザは、その情報が誤っていることを遅滞無く知ることができる。このステップ３８の処理は、ステップ３７の処理と前後して、あるいは同時に行うことも可能である。全てのユーザに対して、電子メールにより送信された慶弔情報を履歴として保存しておくことも可能であり、その場合は、履歴を修正対象になった慶弔情報で逆に検索して、その情報が修正された旨を電子メールにより連絡することも可能である。
【００２６】
ステップ３９において、ユーザが慶弔情報提供システム１のホームページにアクセスして登録情報のメンテナンスを行おうとすると、ステップ４０において、ユーザ管理サーバ１３がユーザを認証し、ステップ４１において、ユーザ毎にキーワードの更新を可能とする。キーワードは、追加、削除および変更が可能である。ステップ４２において、キーワードが追加または変更されたと判断されると、ステップ４３において、検索サーバ１６で慶弔情報ＤＢ１９を新たなキーワードで検索し、該当した情報を、メールサーバ１５を介して対象となるユーザ宛に電子メールにより送信する。ユーザがアクセスしているホームページ上で、新たなキーワードで慶弔情報を検索し、ホームページ上に出力できるようにしても良い。
【００２７】
さらに、この慶弔情報提供システム１は、ステップ４４のその他の処理として、ユーザの新規登録、パスワードの登録・変更、クレジット情報などの決済情報の登録・変更などを行うことができる。
【００２８】
また、検索された慶弔情報をユーザに電子メールにより送信するときに、その慶弔情報の検索条件と、検索キーワードの更新が行えるホームページのアドレスを電子メールに同封しておき、所望の慶弔情報が得られたユーザが、そのメールを受け取ったときに、その慶弔情報の検索キーワードを削除したり、変更したりできるようにしても良い。さらに、電子メールに、電報を発信するホームページへのリンク（ＵＲＬ）、花屋へ花輪などを発注するためのリンク、結婚式場や葬儀場などの慶事または弔事を行う場所のホームページへのリンクを同封しておくことにより、ユーザの便宜を図ることが可能である。
【００２９】
このように、本例の慶弔情報提供システム１は、慶弔情報を受信した側のユーザが受信したい慶弔情報をキーワードで指定し、それに該当する最も新しい慶弔情報が電子メールにより自動配信される。したがって、ユーザは、所望の慶弔情報をタイムリーに取得することができ、遅滞無く弔事の日時および場所などの必要な情報を取得できる。このため、義理を欠くことも無く、弔事に参加することができる。
【００３０】
本例のシステム１においては、ステップ３４において、ＤＢ管理サーバ１７が慶弔情報ＤＢ１９を更新する際に慶弔日時が経過した情報は削除しているが、過去の慶弔情報を慶弔情報ＤＢ１９に蓄積して慶弔日時で管理したり、過去の慶弔情報をまとめて履歴データベースを構築することも有効である。システム１に集積された慶弔情報の二次利用が可能であり、四十九日、一回忌などをユーザに連絡する機能を付加することができる。例えば、葬儀情報をメールにより受け取った時点あるいは葬儀に参加した後で、ユーザがシステム１のホームページにアクセスして、四十九日や一回忌などの弔事の案内メールが指定された日に自動的に送られてくるように設定する機能を付加することができる。そのために、履歴データベースで葬儀情報に関連してユーザ情報を管理したり、ユーザ情報ＤＢ１４の側で葬儀後のサービス項目を管理したりすることができる。
【００３１】
なお、上記では慶弔情報として葬儀の情報を提供するシステムを本発明の例として説明しているが、慶弔情報はこれに限らず、結婚式、出産などの慶事に係る情報を同様に提供できる。また、上記では、１箇所に集中して配置された慶弔情報提供システム１により本発明の慶弔情報の提供方法を実行する例を示しているが、慶弔情報提供システム１を構成する各サーバおよびデータベースなどはインターネット上に分散して配置することも可能である。また、慶弔情報提供システム１は、上記の処理を実行する命令を備えたプログラムまたはプログラム製品としてＣＤ−ＲＯＭなどの適当な記録媒体に記録して提供することが可能であり、そのプログラムを適当なハードウェアリソースを備えたコンピュータシステムにインストールすることにより、上記の慶弔情報提供システム１を構築することができる。
【図面の簡単な説明】
【００３２】
【図１】慶弔情報提供システムの概要を示す図である。
【図２】慶弔情報提供システムの概略構成を示す図である。
【図３】慶弔情報提供システムの処理の概要を示すフローチャートである。
【図４】弔事の情報の一例を示す図である。
【図５】検索用のキーワードの構成の一例を示す図である。
【符号の説明】
【００３３】
１    慶弔情報提供システム
１３    ユーザ管理サーバ
１５    メールサーバ
１６    検索サーバ
１７    ＤＢ管理サーバ
１８    入力端末
１９    慶弔情報ＤＢ
２１    新規情報ファイル
２２    修正情報ファイル
２３    修正対象情報ファイル
【図１】
2005092652.tif 000003
【図２】
2005092652.tif 000004
【図３】
2005092652.tif 000005
【図４】
2005092652.tif 000006
【図５】
2005092652.tif 000007